(57)【要約】【課題】  本発明は、低流速でも回転効率が高く、水力発電に適した横軸ロータを提供することを目的としている。【解決手段】  ロータ１のハブ２に固定された揚力型ブレード３における正面視で、翼長のほぼ中間を最大弦長部３Ｆとし、最大弦長部３Ｆから翼根の方を基部３Ａとし、最大弦長部３Ｆから翼端へかけて、後縁方向へ大きく屈曲させた横向傾斜部３Ｂを形成してある。【選択図】  図１
2018040304.tif 000002
【特許請求の範囲】
【請求項１】
ロータのハブに固定された揚力型ブレードにおける正面視で、翼長のほぼ中間を最大弦長部とし、最大弦長部から翼根の方を基部とし、最大弦長部から翼端へかけて、後縁方向へ大きく屈曲させた横向傾斜部を形成してあることを特徴とする横軸ロータ。
【請求項２】
前記揚力型ブレードにおける横向傾斜部は、基部との境界部から翼端を正面の前方向きに前向傾斜させてあることを特徴とする請求項１に記載の横軸ロータ。
【請求項３】
前記、揚力型ブレードの基部の幅の中央線と、横向傾斜部の幅の中央線とが、120度〜145度の範囲で交差し、正面視で翼端を先細とすることを特徴とする請求項１または２に記載の横軸ロータ。
【請求項４】
前記、揚力型ブレードの前縁の横向き屈曲角度は、後縁の横向き屈曲角度よりも小としてあることを特徴とする請求項１〜３のいずれかに記載の横軸ロータ。
【請求項５】
前記、揚力型ブレードの横向傾斜部は、基部と接する部分から翌端へかけて、弦長を次第に小としてあることを特徴とする請求項１〜４のいずれかに記載の横軸ロータ。
【請求項６】
前記揚力型ブレードは、正面における弦の中央線部分から後縁にかけて、後面方向きに、ほぼ直線的に傾斜していることを特徴とする請求項１〜５のいずれかに記載の横軸ロータ。
【請求項７】
前記、揚力型ブレードの枚数が偶数の時に、ブレードの正面及び後面において、膨出の大の凸面を、前後面で交互に形成して配設することを特徴とする請求項１〜６のいずれかに記載の横軸ロータ。
【発明の詳細な説明】
【技術分野】
【０００１】
本発明は、横軸ロータに係り、特に水力発電機用の回転効率の高い横軸ロータに関する。
【背景技術】
【０００２】
水力発電機用のロータにおける揚力型ブレードとしては、ブレードの翼端部の幅を大としたものが、例えば特許文献１に開示されている。
【先行技術文献】
【特許文献】
【０００３】
【特許文献１】特開２０００−９０１２号公報
【発明の概要】
【発明が解決しようとする課題】
【０００４】
前記、特許文献１に記載のブレードでは、受流面積は広いが、その反面、抵抗が大きいため、回転効率が悪い。
本発明は、ブレードの翼端部分の幅は小とするとともに、後縁方向へ傾斜させて横向傾斜部とすることによって、横向傾斜部に当たる流体を、放射外方向ではなく、回転半径内へ通過させることによって、基部に沿う流体と合流させて回転効率を高めたブレードを有する、横軸ロータを提供することを目的としている。
【課題を解決するための手段】
【０００５】
本発明の具体的な内容は、次の通りである。
【０００６】
（１）ロータのハブに固定された揚力型ブレードにおける正面視で、翼長のほぼ中間を最大弦長部とし、最大弦長部から翼根の方を基部とし、最大弦長部から翼端へかけて、後縁方向へ大きく屈曲させた横向傾斜部を形成してあることを特徴とする横軸ロータ。
【０００７】
（２）前記揚力型ブレードにおける横向傾斜部は、基部との境界部から翼端を正面の前方向きに前向傾斜させてある前記（1）に記載の横軸ロータ。
【０００８】
（３）前記、揚力型ブレードの基部の幅の中央線と、横向傾斜部の幅の中央線とが、120度〜145度の範囲で交差し、正面視で翼端を先細とする前記（1）または（2）に記載の横軸ロータ。
【０００９】
（４）前記、ブレードの前縁の横向き屈曲角度は、後縁の横向き屈曲角度よりも小としてある前記（1）〜（3）に記載の横軸ロータ。
【００１０】
（５）前記、揚力型ブレードの横向傾斜部は、基部と接する部分から翌端へかけて、弦長を次第に小としてある前記（1）〜（4）のいずれかに記載の横軸ロータ。
【００１１】
（６）前記揚力型ブレードは、正面よりも後面の方が、前縁から後縁へかけて大きく膨出した凸面としてなる前記（1）〜（5）のいずれかに記載の横軸ロータ。
【００１２】
（７）前記、ブレードの枚数が偶数の時に、前後の面において、膨出の強い凸面を前後交互に形成して配設することを特徴とする請求項（1）〜（6）のいずれかに記載の横軸ロータ。
【発明の効果】
【００１３】
本発明によると、次のような効果が奏せられる。
【００１４】
前記（1）に記載の横軸ロータは、揚力型ブレードが正面視で、翼長のほぼ中間点から翼端へかけて、後縁方向へ、大きく横向き屈曲しているので、正面に受ける流体によって回転すると、基部の正面に当たる流体は、横向傾斜部の方向に移動し、横向傾斜部によって移動が抑止され、前縁部分から後縁へかけて傾斜する横向傾斜部の正面に沿って回転半径内へ入り、基部正面の前縁から後縁へかけての、傾斜面に沿って通過する流体と合流して高速で通過し、回転効率を高める。
【００１５】
前記（2）に記載の横軸ロータは、揚力型ブレードにおける横向傾斜部は、基部との境界部から翼端を、正面の前方向きに前傾斜させてあるので、回転時に、翼根方向から翼端方向へ移動する流体は、横向傾斜部に当たって正面方向に移動するため、ブレードに対する流体圧が高まり、回転効率を高める。
【００１６】
前記（3）に記載の発明の横軸ロータにおいて、揚力型ブレードの基部の中央線と、横向傾斜部の中央線とが、110度〜130度の範囲で交差し、翼端を正面視で先細とするので、回転時の抵抗を減少させて、回転効率を高める効果がある。
【００１７】
前記（4）に記載の発明の横軸ロータにおいて、前記揚力型ブレードの前縁の屈曲角度は、後縁の屈曲角度よりも小としてあるので、回転時の抵抗が小で、回転効率を高める効果がある。  
【００１８】
前記（5）に記載の発明の横軸ロータにおいて、揚力型ブレードの横向傾斜部は、基部と接する部分から翼端へかけて、弦長を次第に小としてあるので、回転時に抵抗が小となり、かつ横向傾斜部の後縁から通過する流体は、最大弦長部を通過する流体よりも外側で、回転半径の内側方向へ通過して、回転効率を高める。
【００１９】
前記（6）に記載の揚力型ブレードは、正面よりも後面の方が、前縁から後縁へかけて大きく膨出した凸面としてあるので、回転時に後面に沿って通過する流体は、正面に沿う流体よりも高速で通過するため、後面域の流体圧が低下して、流体圧の差によって、ブレードは前縁方向へ押し出されて回転効率が高まる。 
【００２０】
前記（7）に記載の発明においては、揚力型ブレードの枚数が偶数の時に、正面と後面において、膨出の強い凸面を前後交互に形成して配設するので、回転方向の前後の揚力型ブレードによって生じる流体の向きが、交互に前後方向を向くため、流体の干渉が生じにくい効果がある。
【図面の簡単な説明】
【００２１】
【図１】本発明の横軸ロータの一実施形態の正面図である。
【図２】図１における直立ブレードの側面図である。
【図３】図１におけるＦ−Ｆ線縦断拡大側面図である。
【図４】図１におけるＥ−Ｅ線縦断拡大側面図である。
【図５】図１におけるＤ−Ｄ線縦断拡大側面図である。
【図６】図１におけるＣ−Ｃ線縦断拡大側面図である。
【図７】図１におけるＢ−Ｂ線縦断拡大側面図である。
【図８】図１におけるＡ−Ａ線縦断拡大側面図である。
【図９】図１のブレードの流路説明図である。
【図１０】図１の直立したブレードの拡大平面図である。
【図１１】本発明の横軸ロータの他の実施形態の正面図である。
【発明を実施するための形態】
【００２２】
本発明の実施形態を、図面を参照して説明する。横軸ロータ１は、正面視でハブ２の周面に揚力型ブレード３（以下単にブレードという）が３枚、均等間隔で配設されている。ブレード３の枚数が少ないと、受流面積が小となり、枚数が多いと、回転時に、流動する流体の干渉による乱流を生じて、回転効率が低下する。
【００２３】
ブレード３の正面３Ｃにおいて、長さのほぼ中心部で弦長の中央部を点Ｏとし、点Ｏより翼根部を基部３Ａとし、点Ｏから翼端部は、回転後方向へ向かって、大きく屈曲して、横向傾斜部３Ｂが形成されている。
前縁３Ｅに沿う長さは後縁３Ｅに沿う長さよりも長いが、回転半径は前縁３Ｄ及び後縁３Ｅの長さより小となっている。
【００２４】
ブレード３の長さ方向の、ほぼ中間の中央点Ｏから翼根方向の基部３Ａの中央線Ｓと、中央点Ｏより翼端方向の横向傾斜部３Ｂの中央線Ｔとの交差角は、図１においては125度としてあるが、120度〜140度の範囲で任意に設定される。
交差角がこれより小さいと、半径内に流体を通過させにくくなり、大きいと、直線に近くなり、横向傾斜部３Ｂを作る意味が薄れる。
【００２５】
基部３Ａは、翼根から中央点Ｏ方向へ、次第に弦長を大となるようにしてあり、前記中央線Ｓと中央線Ｔの交差する部分の弦長を、最大弦長部３Ｆとして形成されている。これは、翼根から横向傾斜部３Ｂへ流体が移動して集合するためであり、集合した流体は、後縁３Ｅ方向へ円弧を描いて通過し、その反作用として、ブレード３を前縁方向へ回転させ、回転効率を高める。
【００２６】
側面視で、図２に示すように、基部３Ａの境界部分から横向傾斜部３Ｂを、正面３Ｃ前方に向けて傾斜させて、前向傾斜部３Ｈとしてある。図２における前傾の傾斜角度は、基部３Ａに対して約125度としてあるが、120度〜145度の範囲で任意に設定される。  
【００２７】
正面視で前縁３Ｄにおける、基部３Ａと横向傾斜部３Ｂとの屈曲角度よりも、後縁３Ｄにおける基部３Ａと、横向傾斜部３Ｂとの屈曲角度の方が、大角度となっている。これによって、横向傾斜部３Ｂの前縁３Ｄに当たる流体は、小さな抵抗で後縁３Ｅ方向へ通過し、かつ、基部３Ａにおける後縁３Ｅと、横向傾斜部３Ｂにおける後縁３Ｅとが交差する中間の、Ｕ矢示線方向へ通過する。
【００２８】
また図９に示すように、横向傾斜部３Ｂにおいては、前縁３Ｄから後縁３Ｅへ抜ける流体は、Ｖ矢示方向に流れ、半径線Ｘより内側を流れることになる。
その流速は、回転半径の違いによって、基部３ＡにおけるＵ矢示線より内側の流速より高速となり、その反作用は、Ｖ矢示線の反対方向へ作用して、ブレード３の回転効率を高める。
【００２９】
これにより、前記Ｕ矢示線方向に、基部３Ａの後縁３Ｅを通過する流体と、横向傾斜部３Ｂの後縁３Ｅを通過する流体は、Ｕ矢示線方向で集合して通過し、その反作用として、Ｖ矢示線の反対方向の回転力を得て、ブレード３を効率良く回転させる。    
【００３０】
図３〜図８は、図１におけるブレード３の、各横断面の拡大横断面図である。
横向傾斜部３Ｂの先端における正面３Ｃの前縁３Ｄから、後縁３Ｅへかけて傾斜する先端勾配線Ｇは、図３〜図８ともに同じであるが、各断面の端面において、前縁３Ｄから後縁３Ｅへかけて傾斜する中間勾配線Ｅは、それぞれの部位によって異なっている。
【００３１】
すなわち先端勾配線Ｇと中間勾配線Ｅとの交差角度は、図３において約３２度、図４においては約３２度、図５においては約３０度、図６においては約３０度、図７においては約２８度、図８においては約２５度となっている。
【００３２】
これは、正面３Ｃにおける後縁３Ｅ部分が、基部３Ａの翼根部分から横向傾斜部３Ｂの翼端へかけて、次第に正面の前方向へ移動していることを示している。  しかし、これは横傾斜部３Ｂが横方向へ傾斜しているのに、基部３Ａと同じ横断をしているためで、図１０に示すように、先端勾配線Ｇと中間勾配線Ｅの間を流体は通過することになる。
【００３３】
図３〜図８の横断面に示すように、正面３Ｃよりも後面Ｇの方が大きく膨らむ凸面を有しており、前縁３Ｄから後縁３Ｅまでの距離は、正面３Ｃのそれよりも大きくなっている。その結果、正面３Ｃに当たる流体は、ブレード３を前縁３Ｄ方向へ押して回転させる。
【００３４】
また、正面３Ｃに沿って通過する流体の速度よりも、大きな凸面の後面３Ｇに沿って通過する流体の速度の方が大となり、流速が大である方が、流体圧が低下するので、正面３Ｃと後面３Ｇの流体圧の差によって、ブレード３は、流体圧の低い前縁３Ｄ方向へ押されて、回転効率を高める。
【００３５】
図１１は、別の実施形態の横軸ロータの正面図である。前例と同じ部材には、同じ符号を付して説明を省略する。この実施形態では、ハブ２の周面に、ブレード３を４枚配設してある。ブレード３の形は前例と基本的に同じものであるが、正面３Ｃを後面３Ｇとし、後面３Ｇを正面３Ｃとしたものと、図１に示すブレードとを交互に配設してある。
【００３６】
このように、ブレード３の数が４枚、６枚などと増加すると、前後のブレード３から、コアンダ効果によって高速で通過する流体が、前後面方向へ分かれ、高速回転時に、流体の干渉が生じにくいという効果が生じる。なお、本発明の横軸ロータは、風力発電機、水力発電機に活用することができる。
【産業上の利用可能性】
【００３７】
翼端に横向傾斜部が形成されているので、回転時に翼根から翼端方向へ移動する流体は、横向傾斜部で抑制されて、直径円内方向へ通過するため、回転効率が高まり、発電効率の高い水力発電に利用される。
【符号の説明】
【００３８】
１．横軸ロータ
２．ハブ
３．揚力型ブレード
３Ａ．基部
３Ｂ．横向傾斜部
３Ｃ．正面
３Ｄ．前縁
３Ｅ．後縁
３Ｆ．最大弦長部
３Ｇ．後面
３Ｈ．前向傾斜面
４．ロータ軸
Ｅ．中間勾配線
Ｇ．先端勾配線
Ｏ．中央点
Ｓ．基部弦中央線
Ｔ．横傾斜部弦中央線
Ｕ．中間の流体通過方向
Ｖ．横向傾斜部の流体通過方向
Ｘ．回転半径線
【図１】
2018040304.tif 000003
【図２】
2018040304.tif 000004
【図３】
2018040304.tif 000005
【図４】
2018040304.tif 000006
【図５】
2018040304.tif 000007
【図６】
2018040304.tif 000008
【図７】
2018040304.tif 000009
【図８】
2018040304.tif 000010
【図９】
2018040304.tif 000011
【図１０】
2018040304.tif 000012
【図１１】
2018040304.tif 000013